(57)【要約】【課題】ローリングシャッタ方式の撮像装置において、他者のフラッシュ発光があるシーンにおいても露光ムラのない画像の撮像を可能にする。【解決手段】メカニカルシャッタを使用せずに、ＣＭＯＳセンサに対して各ライン毎に露光開始タイミングをずらして露光を開始させるとともに、所定の露光時間が経過したラインから順次ライン上の情報を読み出すローリングシャッタ方式の撮像を実施し、記録対象の１フレームの画像を取得する（ステップＳ１０）。この取得した記録対象の画像に含まれる他者のフラッシュ発光に起因する露光ムラの有無を検出し（ステップＳ１２）、露光ムラが検出されると、露光ムラを示す警告を発し（ステップＳ１６）、撮影者からの記録／キャンセルの指示入力に応じて記録処理又は記録のキャンセルを行う（ステップＳ１８、Ｓ２０）。【選択図】  図２
2010213220.tif 000002
【特許請求の範囲】
【請求項１】
複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置において、
前記撮像素子から順次読み出した複数ラインの情報からなる１フレームの画像であって、シャッタレリーズ動作に同期した記録対象の１フレームの画像、又は該画像と隣接するフレームの画像とを含む複数フレームの画像を取得する画像取得手段と、
前記取得した記録対象の１フレームの画像中に含まれる他者のフラッシュ発光に起因する露光ムラの有無を検出する露光ムラ検出手段と、
前記露光ムラ検出手段によって露光ムラが検出されると、露光ムラを示す警告を発する露光ムラ警告手段と、
を備えたことを特徴とする撮像装置。
【請求項２】
前記画像取得手段により取得された画像が一時的に記録される内部メモリと、
画像表示手段と、
前記露光ムラ警告手段により警告が発せられると、前記内部メモリに記録された画像を前記画像表示手段に表示させる表示制御手段と、
画像の記録を入力する記録指示手段と、
前記記録指示手段により前記画像ムラの警告が発せられた画像に対する記録指示が入力されると、前記内部メモリに記録された画像を不揮発性の記録媒体に記録する記録手段と、
を更に備えたことを特徴とする請求項１に記載の撮像装置。
【請求項３】
前記露光ムラ検出手段は、少なくともライン方向と平行な露光ムラの境界を示すライン位置を検出し、
前記露光ムラ警告手段は、前記画像表示手段に表示された画像上に前記検出されたライン位置を示すマーカを表示することを特徴とする請求項２に記載の撮像装置。
【請求項４】
複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置において、
前記撮像素子から読み出した複数ラインの情報からなる１フレームの画像であって、シャッタレリーズ動作に同期した記録対象の１フレームの画像と、該画像と隣接するフレームの画像とを含む複数フレームの画像を取得する画像取得手段と、
前記取得した記録対象の１フレームの画像中に含まれる他者のフラッシュ発光に起因する露光ムラの有無を検出する露光ムラ検出手段と、
前記露光ムラ検出手段によって露光ムラが検出されると、前記記録対象の画像の前記露光ムラに対応する高輝度領域の情報を、前記隣接するフレームの画像における前記高輝度領域に対応する情報に基づいて補正する露光ムラ補正手段と、
を備えたことを特徴とする撮像装置。
【請求項５】
前記露光ムラ補正手段は、前記記録対象の画像の前記露光ムラに対応する高輝度領域の情報を、前記隣接するフレームの画像における前記高輝度領域に対応する情報と置換することを特徴とする請求項４に記載の撮像装置。
【請求項６】
前記露光ムラ補正手段は、前記記録対象の画像の前記露光ムラに対応する高輝度領域に対応するラインの輝度値を、前記高輝度領域に対応するラインの平均輝度値が前記隣接するフレームの画像における同一ラインの平均輝度値と一致するように補正することを特徴とする請求項４に記載の撮像装置。
【請求項７】
前記露光ムラ検出手段によって露光ムラが検出されると、露光ムラを示す警告を発する露光ムラ警告手段と、
画像表示手段と、
前記露光ムラ警告手段により警告が発せられると、前記記録対象の画像を前記画像表示手段に表示させる表示制御手段と、
露光ムラの補正の指示を入力する補正指示手段と、
前記露光ムラ補正手段は、前記補正指示手段により前記画像ムラの警告が発せられた画像に対する補正指示が入力されると、前記記録対象の画像の露光ムラの補正を行うことを特徴とする請求項４から６のいずれかに記載の撮像装置。
【請求項８】
前記露光ムラ検出手段は、前記取得した記録対象の１フレームの画像から１ライン毎又は複数ライン毎の平均輝度値を算出する輝度値算出手段と、前記算出した平均輝度値に基づいて前後方向のライン間における所定の閾値を越える輝度変化を検出する輝度変化検出手段とを有し、
前記輝度変化検出手段により検出される輝度変化の有無に基づいて前記露光ムラの有無を検出することを特徴とする請求項１から７のいずれかに記載の撮像装置。
【請求項９】
前記露光ムラ検出手段は、前記画像取得手段により取得した複数フレームの画像からそれぞれ１ライン毎又は複数ライン毎の平均輝度値を算出する輝度値算出手段と、前記複数フレームの画像の同一ラインについて算出された平均輝度値に基づいて前記記録対象の画像のラインの平均輝度値が、隣接する画像のラインの平均輝度値よりも大きくなるラインを検出する高輝度ライン検出手段とを有し、
前記高輝度ライン検出手段により検出される高輝度ラインの有無に基づいて前記露光ムラの有無を検出することを特徴とする請求項１から８のいずれかに記載の撮像装置。
【請求項１０】
前記画像取得手段は、前記記録対象の１フレーム画像と、該画像の直前及び直後のフレームの画像とを含む３フレームの画像を取得し、
前記露光ムラ補正手段は、前記記録対象の画像の露光ムラの補正に使用する前記隣接するフレームの画像として、前記直前及び直後のフレームの画像のうちのいずれか一方を選択する選択手段を有することを特徴とする請求項４から７のいずれかに記載の撮像装置。
【請求項１１】
前記選択手段は、前記記録対象の画像の前記露光ムラに対応する高輝度領域に対応する前記直前及び直後のフレームの画像における同一領域の平均輝度値をそれぞれ算出する算出手段を有し、前記算出された平均輝度値のうち低い平均輝度値を有する画像を選択することを特徴とする請求項１０に記載の撮像装置。
【請求項１２】
前記選択手段は、前記記録対象の画像の前記露光ムラに対応する高輝度領域が画像中の前半部か後半部かを判断する判断手段を有し、前半部と判断した場合には直後のフレームの画像を選択し、後半部と判断した場合には直前のフレームの画像を選択することを特徴とする請求項１０に記載の撮像装置。
【請求項１３】
複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置における撮像制御方法において、
前記撮像素子から順次読み出した複数ラインの情報からなる１フレームの画像であって、シャッタレリーズ動作に同期した記録対象の１フレームの画像、又は該画像と隣接するフレームの画像とを含む複数フレームの画像を取得し、
前記取得した記録対象の１フレームの画像中に含まれる他者のフラッシュ発光に起因する露光ムラの有無を検出し、
前記露光ムラが検出されると、露光ムラを示す警告を発することを特徴とする撮像制御方法。
【請求項１４】
前記露光ムラが検出されると、該露光ムラが検出された記録対象の画像を画像表示手段に表示させ、
前記表示結果を確認した撮影者から画像の記録を指示する指示入力があると、前記記録対象の画像を不揮発性の記録媒体に記録することを特徴とする請求項１３に記載の撮像制御方法。
【請求項１５】
複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置における撮像制御方法において、
前記撮像素子から読み出した複数ラインの情報からなる１フレームの画像であって、シャッタレリーズ動作に同期した記録対象の１フレームの画像と、該画像と隣接するフレームの画像とを含む複数フレームの画像を取得し、
前記取得した記録対象の１フレームの画像中に含まれる他者のフラッシュ発光に起因する露光ムラの有無を検出し、
前記露光ムラが検出されると、前記記録対象の画像の前記露光ムラに対応する高輝度領域の情報を、前記隣接するフレームの画像における前記高輝度領域に対応する情報に基づいて補正することを特徴とする撮像制御方法。
【請求項１６】
前記露光ムラに対応する高輝度領域の情報の補正は、前記記録対象の画像の前記露光ムラに対応する高輝度領域の情報を、前記隣接するフレームの画像における前記高輝度領域に対応する情報に置換することにより行うことを特徴とする請求項１５に記載の撮像制御方法。
【請求項１７】
前記露光ムラに対応する高輝度領域の情報の補正は、前記記録対象の画像の前記露光ムラに対応する高輝度領域に対応するラインの輝度値を、前記高輝度領域に対応するラインの平均輝度値が前記隣接するフレームの画像における同一ラインの平均輝度値と一致するように補正することにより行うことを特徴とする請求項１５に記載の撮像制御方法。
【請求項１８】
前記露光ムラが検出されると、前記記録対象の画像の前記露光ムラに対応する高輝度領域の情報の補正の前に、露光ムラを示す警告を発生するとともに前記記録対象の画像を画像表示手段に表示させ、
その後、露光ムラの補正の指示が入力されると、前記露光ムラに対応する高輝度領域の情報の補正を行うことを特徴とする請求項１３から１７のいずれかに記載の撮像制御方法。
【発明の詳細な説明】
【技術分野】
【０００１】
本発明は撮像装置及び撮像制御方法に係り、特にローリングシャッタ方式の撮像装置に適用される技術に関する。
【背景技術】
【０００２】
フォーカルプレーンシャッタ搭載のカメラにおいて、フラッシュ発光と露光タイミングを合わせることで面内露光ムラを回避するようにした撮像装置が提案されている（特許文献１）。
【０００３】
また、ＣＭＯＳセンサを用いた撮像装置において、フォーカルプレーンシャッタを使用せずに、フォーカルプレーンシャッタと同様なシャッタを電子的に実現する方式として、各ライン毎に露光開始タイミングをずらして露光を開始させるとともに、所定の露光時間が経過したラインから順次ライン上の情報を読み出すローリングシャッタ方式が知られている。
【０００４】
このローリングシャッタ方式は、各ライン毎に露光タイミング及び読出しタイミングに時間差があるという特徴があるため、一部のラインの露光期間中にフラッシュのような発光期間の短い強い光が入射すると、その一部のラインの領域が他のラインの領域よりも明るくなる（面内輝度ムラが生じる）といった問題がある。
【０００５】
このローリングシャッタ方式による輝度ムラを軽減するために、特許文献２には、最初のラインの露光タイミングから最後のラインの露光終了時まで常にフラッシュを発光し続ける撮像装置が開示されている。
【先行技術文献】
【特許文献】
【０００６】
【特許文献１】特開２００６−６４９７４号公報
【特許文献２】特開２００７―３２４６４９号公報
【発明の概要】
【発明が解決しようとする課題】
【０００７】
しかしながら、特許文献１及び２に記載の発明は、撮像装置自体に設けられたフラッシュ装置からフラッシュを発光する場合における輝度ムラを軽減するための技術である。撮像装置自体に設けられたフラッシュ装置であれば、発光タイミングを制御することも可能であるが、他人が所有するカメラのフラッシュ光の発光タイミングを制御することはできない。
【０００８】
例えば、結婚式や記者会見などの多くのカメラが同時にフラッシュを発光させるシーンにおいて、ローリングシャッタ方式の撮像装置により撮影を行う場合には、他人が所有するカメラが発光したフラッシュ光によって画面内に露光ムラが生じるが、この問題を特許文献１、２に記載の発明では解決することができない。
【０００９】
本発明はこのような事情に鑑みてなされたもので、ローリングシャッタ方式の撮像装置において、他者のフラッシュ発光があるシーンにおいても露光ムラのない画像の撮像を行うことができる撮像装置及び撮像制御方法を提供することを目的とする。
【課題を解決するための手段】
【００１０】
前記目的を達成するために請求項１に記載の発明は、複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置において、前記撮像素子から順次読み出した複数ラインの情報からなる１フレームの画像であって、シャッタレリーズ動作に同期した記録対象の１フレームの画像、又は該画像と隣接するフレームの画像とを含む複数フレームの画像を取得する画像取得手段と、前記取得した記録対象の１フレームの画像中に含まれる他者のフラッシュ発光に起因する露光ムラの有無を検出する露光ムラ検出手段と、前記露光ムラ検出手段によって露光ムラが検出されると、露光ムラを示す警告を発する露光ムラ警告手段と、を備えたことを特徴としている。
【００１１】
即ち、記録対象の１フレームの画像中の露光ムラ（他者のフラッシュ発光等に起因する露光ムラ）の有無を検出し、露光ムラが検出された場合には、露光ムラを示す警告を発するようにしている。この警告により再撮像が喚起され、撮影者は再撮像を行うことで露光ムラのない画像の撮像を行うことができる。
【００１２】
請求項２に示すように請求項１に記載の撮像装置において、前記画像取得手段により取得された画像が一時的に記録される内部メモリと、画像表示手段と、前記露光ムラ警告手段により警告が発せられると、前記内部メモリに記録された画像を前記画像表示手段に表示させる表示制御手段と、画像の記録を入力する記録指示手段と、前記記録指示手段により前記画像ムラの警告が発せられた画像に対する記録指示が入力されると、前記内部メモリに記録された画像を不揮発性の記録媒体に記録する記録手段と、を更に備えたことを特徴としている。
【００１３】
即ち、記録対象の画像中に露光ムラが検出された場合には、その記録対象の画像を内部メモリに一時保持するとともに、画像表示手段に表示させるようにしたため、撮影者に露光ムラの有無の確認をとって貰うことができる。そして、露光ムラが誤検出された場合や露光ムラが許容できる場合に、撮影者から記録指示が入力されると、内部メモリに記録された画像を不揮発性の記録媒体に記録するようにしている。
【００１４】
請求項３に示すように請求項２に記載の撮像装置において、前記露光ムラ検出手段は、少なくともライン方向と平行な露光ムラの境界を示すライン位置を検出し、前記露光ムラ警告手段は、前記画像表示手段に表示された画像上に前記検出されたライン位置を示すマーカを表示することを特徴としている。これにより、撮影者は、露光ムラの有無の確認を容易に行うことができる。
【００１５】
請求項４に係る発明は、複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置において、前記撮像素子から読み出した複数ラインの情報からなる１フレームの画像であって、シャッタレリーズ動作に同期した記録対象の１フレームの画像と、該画像と隣接するフレームの画像とを含む複数フレームの画像を取得する画像取得手段と、前記取得した記録対象の１フレームの画像中に含まれる他者のフラッシュ発光に起因する露光ムラの有無を検出する露光ムラ検出手段と、前記露光ムラ検出手段によって露光ムラが検出されると、前記記録対象の画像の前記露光ムラに対応する高輝度領域の情報を、前記隣接するフレームの画像における前記高輝度領域に対応する情報に基づいて補正する露光ムラ補正手段と、を備えたことを特徴としている。
【００１６】
即ち、シャッタレリーズ動作に同期した記録対象の１フレームの画像の他に、その画像と隣接するフレームの画像も取得しておき、記録対象の画像中に露光ムラが検出された場合には、その記録対象の画像に隣接するフレームの画像を使用し、露光ムラに対応する高輝度領域の情報を、隣接するフレームの画像における高輝度領域に対応する情報に基づいて補正するようにしている。これにより、露光ムラを自動的に補正することができ、露光ムラのない画像を記録することができる。
【００１７】
請求項５に示すように請求項４に記載の撮像装置において、前記露光ムラ補正手段は、前記記録対象の画像の前記露光ムラに対応する高輝度領域の情報を、前記隣接するフレームの画像における前記高輝度領域に対応する情報と置換することを特徴としている。
【００１８】
請求項６に示すように請求項４に記載の撮像装置において、前記露光ムラ補正手段は、前記記録対象の画像の前記露光ムラに対応する高輝度領域に対応するラインの輝度値を、前記高輝度領域に対応するラインの平均輝度値が前記隣接するフレームの画像における同一ラインの平均輝度値と一致するように補正することを特徴としている。
【００１９】
即ち、請求項５に記載の発明は、記録対象の画像の露光ムラに対応する高輝度領域の情報を、隣接するフレームの画像における高輝度領域に対応する情報と置換することにより、高輝度領域の情報を補正しているが、請求項６に記載の発明は、高輝度領域の情報を、隣接するフレームの画像における同一ラインの平均輝度と一致するようにライン毎に補正することで、高輝度領域の情報を補正している。
【００２０】
請求項７に示すように請求項４から６のいずれかに記載の撮像装置において、前記露光ムラ検出手段によって露光ムラが検出されると、露光ムラを示す警告を発する露光ムラ警告手段と、画像表示手段と、前記露光ムラ警告手段により警告が発せられると、前記記録対象の画像を前記画像表示手段に表示させる表示制御手段と、露光ムラの補正の指示を入力する補正指示手段と、前記露光ムラ補正手段は、前記補正指示手段により前記画像ムラの警告が発せられた画像に対する補正指示が入力されると、前記記録対象の画像の露光ムラの補正を行うことを特徴としている。
【００２１】
即ち、記録対象の画像中に露光ムラが検出された場合には、直ちに露光ムラを補正せずに、露光ムラを示す警告を発するとともに、記録対象の画像を画像表示手段に表示させる。そして、撮影者から露光ムラの補正指示が入力されると、露光ムラの補正が行われる。これにより、露光ムラが誤検出された場合に誤った補正を防止することができる。
【００２２】
請求項８に示すように請求項１から７のいずれかに記載の撮像装置において、前記露光ムラ検出手段は、前記取得した記録対象の１フレームの画像から１ライン毎又は複数ライン毎の平均輝度値を算出する輝度値算出手段と、前記算出した平均輝度値に基づいて前後方向のライン間における所定の閾値を越える輝度変化を検出する輝度変化検出手段とを有し、前記輝度変化検出手段により検出される輝度変化の有無に基づいて前記露光ムラの有無を検出することを特徴としている。
【００２３】
他者のフラッシュ発光に起因する面内露光ムラは、あるライン（フラッシュ光を受光しているラインと受光していないライン）を境界にその前半部又は後半部の輝度が、他の部分よりも高輝度になっている。従って、記録対象の画像から１ライン毎又は複数ライン毎の平均輝度値を算出し、この平均輝度値がラインの前後方向で大幅に変化する箇所を検出することで露光ムラの有無を検出するようにしている。
【００２４】
請求項９に示すように請求項１から８のいずれかに記載の撮像装置において、前記露光ムラ検出手段は、前記画像取得手段により取得した複数フレームの画像からそれぞれ１ライン毎又は複数ライン毎の平均輝度値を算出する輝度値算出手段と、前記複数フレームの画像の同一ラインについて算出された平均輝度値に基づいて前記記録対象の画像のラインの平均輝度値が、隣接する画像のラインの平均輝度値よりも大きくなるラインを検出する高輝度ライン検出手段とを有し、前記高輝度ライン検出手段により検出される高輝度ラインの有無に基づいて前記露光ムラの有無を検出することを特徴としている。
【００２５】
他者のフラッシュ光が記録対象の画像のあるラインに入射している場合には、記録対象の画像と隣接するフレームの画像の同一ラインには、前記ラッシュ光は入射していないと考えられる。これは、フラッシュ光（一般のキセノン管からのフラッシュ光）の発光時間は極めて短いからである。従って、記録対象の画像の任意のラインの平均輝度値が、隣接する画像の同一ラインの平均輝度値よりも大きい場合には、そのラインにはフラッシュ光が入射していると考えられる。このように、隣接するフレームの画像よりも高輝度となっているライン（高輝度ライン）の有無から露光ムラの有無を検出するようにしている。
【００２６】
請求項１０に示すように請求項４から７のいずれかに記載の撮像装置において、前記画像取得手段は、前記記録対象の１フレーム画像と、該画像の直前及び直後のフレームの画像とを含む３フレームの画像を取得し、前記露光ムラ補正手段は、前記記録対象の画像の露光ムラの補正に使用する前記隣接するフレームの画像として、前記直前及び直後のフレームの画像のうちのいずれか一方を選択する選択手段を有することを特徴としている。
【００２７】
請求項１１に示すように請求項１０に記載の撮像装置において、前記選択手段は、前記記録対象の画像の前記露光ムラに対応する高輝度領域に対応する前記直前及び直後のフレームの画像における同一領域の平均輝度値をそれぞれ算出する算出手段を有し、前記算出された平均輝度値のうち低い平均輝度値を有する画像を選択することを特徴としている。
【００２８】
これにより、一部でもフラッシュ露光していない画像を補正用の画像として選択することができる。
【００２９】
請求項１２に示すように請求項１０に記載の撮像装置において、前記選択手段は、前記記録対象の画像の前記露光ムラに対応する高輝度領域が画像中の前半部か後半部かを判断する判断手段を有し、前半部と判断した場合には直後のフレームの画像を選択し、後半部と判断した場合には直前のフレームの画像を選択することを特徴としている。
【００３０】
これにより、フラッシュの発光時点から遠い画像側を選択することができ、フラッシュ露光していない画像を補正用の画像として選択することができる。
【００３１】
請求項１３に係る発明は、複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置における撮像制御方法において、前記撮像素子から順次読み出した複数ラインの情報からなる１フレームの画像であって、シャッタレリーズ動作に同期した記録対象の１フレームの画像、又は該画像と隣接するフレームの画像とを含む複数フレームの画像を取得し、前記取得した記録対象の１フレームの画像中に含まれる他者のフラッシュ発光に起因する露光ムラの有無を検出し、前記露光ムラが検出されると、露光ムラを示す警告を発することを特徴としている。
【００３２】
請求項１４に示すように請求項１３に記載の撮像制御方法において、前記露光ムラが検出されると、該露光ムラが検出された記録対象の画像を画像表示手段に表示させ、前記表示結果を確認した撮影者から画像の記録を指示する指示入力があると、前記記録対象の画像を不揮発性の記録媒体に記録することを特徴としている。
【００３３】
請求項１５に係る発明は、複数ラインの受光領域を有する撮像素子に対し、各ライン毎に露光開始タイミングをずらして露光を開始させるとともに、所定の露光時間が経過したラインから順次ライン上の情報を読み出すローリングシャッタ方式の撮像装置における撮像制御方法において、前記撮像素子から読み出した複数ラインの情報からなる１フレームの画像であって、シャッタレリーズ動作に同期した記録対象の１フレームの画像と、該画像と隣接するフレームの画像とを含む複数フレームの画像を取得し、前記取得した記録対象の１フレームの画像中に含まれる他者のフラッシュ発光に起因する露光ムラの有無を検出し、前記露光ムラが検出されると、前記記録対象の画像の前記露光ムラに対応する高輝度領域の情報を、前記隣接するフレームの画像における前記高輝度領域に対応する情報に基づいて補正することを特徴としている。
【００３４】
請求項１６に示すように請求項１５に記載の撮像制御方法において、前記露光ムラに対応する高輝度領域の情報の補正は、前記記録対象の画像の前記露光ムラに対応する高輝度領域の情報を、前記隣接するフレームの画像における前記高輝度領域に対応する情報に置換することにより行うことを特徴としている。
【００３５】
請求項１７に示すように請求項１５に記載の撮像制御方法において、前記露光ムラに対応する高輝度領域の情報の補正は、前記記録対象の画像の前記露光ムラに対応する高輝度領域に対応するラインの輝度値を、前記高輝度領域に対応するラインの平均輝度値が前記隣接するフレームの画像における同一ラインの平均輝度値と一致するように補正することにより行うことを特徴としている。
【００３６】
請求項１８に示すように請求項１３から１７のいずれかに記載の撮像制御方法において、前記露光ムラが検出されると、前記記録対象の画像の前記露光ムラに対応する高輝度領域の情報の補正の前に、露光ムラを示す警告を発生するとともに前記記録対象の画像を画像表示手段に表示させ、その後、露光ムラの補正の指示が入力されると、前記露光ムラに対応する高輝度領域の情報の補正を行うことを特徴としている。
【発明の効果】
【００３７】
本発明によれば、ローリングシャッタ方式の撮像装置において、他者のフラッシュ発光に起因する露光ムラを検出できるようにし、また、露光ムラを検出した場合には、警告を発して再撮像を促し、又は隣接するフレームの画像を使用して露光ムラに対応する高輝度領域の情報を補正するようにしたため、他者のフラッシュ発光があるシーンにおいても露光ムラのない画像の撮像を行うことができる。
【図面の簡単な説明】
【００３８】
【図１】図１は本発明に係る撮像装置の内部構成を示すブロック図である。
【図２】図２は本発明に係る撮像制御方法の第１実施形態を示すフローチャートである。
【図３】図３は他者のカメラのフラッシュ光により面内露光ムラが発生する様子を示すタイミングチャートである。
【図４】図４はライン状輝度変化の検出方法の第１実施例を示すフローチャートである。
【図５】図５は他者のカメラのフラッシュ光による露光ムラがライン方向で変化する様子を示す図である。
【図６】図６は他者のカメラのフラッシュ光によるライン間の輝度差を示す図である。
【図７】図７は輝度ムラの警告表示を行うＬＣＤ画面の一例を示す図である。
【図８】図８はライン状輝度変化の検出方法の第２実施例を示すフローチャートである。
【図９】図９はシャッタレリーズスイッチの全押し時に保存される３枚の画像の露光及び読み出しタイミングを示すタイミングチャートであり、記録対象の画像の露光期間前半にフラッシュ光が入射した状態を示す図である。
【図１０】図１０はシャッタレリーズスイッチの全押し時に保存される３枚の画像の露光及び読み出しタイミングを示すタイミングチャートであり、記録対象の画像の露光期間後半にフラッシュ光が入射した状態を示す図である。
【図１１】図１１は本発明に係る撮像制御方法の第２実施形態を示すフローチャートである。
【図１２】図１２は本発明に係る撮像制御方法の第３実施形態を示すフローチャートである。
【図１３】図１３は本発明に係る撮像制御方法の第４実施形態を示すフローチャートである。
【発明を実施するための形態】
【００３９】
以下、添付図面に従って本発明に係る撮像装置及び撮像制御方法の実施の形態について説明する。
【００４０】
［撮像装置］
図１は本発明に係る撮像装置の内部構成を示すブロック図である。
【００４１】
同図に示すように、撮像装置（デジタルカメラ）１は、主として中央処理装置（ＣＰＵ）１０、操作部１２、フラッシュ発光部２０、レンズユニット２２、ＣＭＯＳセンサ２６、タイミングジェネレータ（ＴＧ）２８、ＡＧＣ回路３０、Ａ／Ｄ変換器３２、画像信号処理回路３４、圧縮伸張処理回路３６、ＬＣＤドライバ３８、液晶ディスプレイ（ＬＣＤ）４０、ＡＥ／ＷＢ検出回路４２、メモリカード４４、メディアコントローラ４６で構成されている。
【００４２】
ＣＰＵ１０は、操作部１２から入力される操作信号に基づき所定の制御プログラムに従ってデジタルカメラ１の全体を統括制御する。ＣＰＵ１０に接続されたＲＯＭ１６には、デジタルカメラ１を動作させるための制御プログラムや各種設定情報が書き込まれており、ＣＰＵ１０はこのプログラムに従って各部を制御する。
【００４３】
また、ＣＰＵ１０は、ＡＦエリア（例えば、画面中央部）内の信号を切り出し、ＡＦエリア内の絶対値データを積算する。
【００４４】
操作部１２は、シャッタレリーズボタン、電源／モードスイッチ、モードダイヤル、ズームキー、十字キー、メニュー／ＯＫキー、ＢＡＣＫキー等で構成される。
【００４５】
シャッタレリーズボタンは、半押し操作時に自動露出制御（ＡＥ制御）、自動焦点制御（ＡＦ制御）等の各種撮影準備処理を指示し、この状態でシャッタレリーズボタンが更に押し込まれる全押し操作時に本撮像の処理を指示する。
【００４６】
電源／モードスイッチは、デジタルカメラ１の電源のオン／オフを切り替える際に操作される。
【００４７】
モードダイヤルは、デジタルカメラ１の動作モードを切り替える際に操作される。動作モードとしては、撮影を１回だけ行う静止画（単写）撮影モード、複数回の撮影を連続して行う連写撮影モード、撮影により得られた画像をＬＣＤ４０に再生表示する再生モードなどがある。
【００４８】
ズームキーは、ズームレンズを変倍する際に操作される。
【００４９】
十字キーは、ＬＣＤ４０に表示されたメニュー画面内のカーソルを移動させる。
【００５０】
メニュー／ＯＫキーは、ＬＣＤ４０にメニュー画面を表示する際や選択内容を決定する際などに操作される。メニュー／ＯＫキー、十字キー等の操作により、種々の撮影シーン（屋内、人物、夜景など）から所望とする撮影シーンが設定可能となっている。撮影シーン機能は、設定された撮影シーンに応じて、種々の撮影条件を自動的に設定する機能である。ＣＰＵ１０は、設定された撮影シーンに応じて、露出値、撮影感度、ホワイトバランスの制御パラメータ、フラッシュ発光の有無などの撮影条件を、当該撮影シーンに好適な値に自動的に設定する。なお、撮影シーンの設定は、ＣＰＵ１０が自動的に撮影シーンを判断し、最適な撮影シーンに設定する（自動シーン認識）機能により行なわれてもよい。
【００５１】
ＢＡＣＫキーは、ＬＣＤ４０に表示されたメニュー画面を戻す際に操作される。ＲＡＭ１４は、ＣＰＵ１０による演算作業領域、及び画像データの一時記憶領域として利用される。ＲＯＭ１６は、ＣＰＵ１０が実行する制御プログラム及び制御に必要な各種データやデジタルカメラ１の動作に関する各種設定情報などが格納されている。ＶＲＡＭ１８は、スルー画像の表示用の画像データ等を一時記憶する。
【００５２】
フラッシュ発光部２０は、撮影を実行する際に被写体輝度に応じてフラッシュを照射する。
【００５３】
レンズユニット２２は、主として、ズーム機構及びフォーカス機構と、絞りとで構成される。ズーム機構は、ズーム操作キーの操作に応答して、撮影レンズ２２ａを移動させてズーミングを行う。フォーカス機構は、撮影レンズ２２ａに組み込まれたフォーカスレンズを移動させてピント合せを行う。絞り装置２２ｂは、絞り開度を調節することで、ＣＭＯＳ型イメージセンサ２６（以下、ＣＭＯＳセンサ２６という）に入射する被写体光の光量を調節する。絞り装置２２ｂは、モータ２３を介してＣＰＵ１０により動作制御される。
【００５４】
ＣＭＯＳセンサ２６は、多数のフォトセンサがマトリクス状に配列された複数ラインの受光面を有しており、受光面に結像された被写体像は、各フォトセンサによって、その入射光量に応じた量の信号電荷に変換される。
【００５５】
各フォトセンサに蓄積された電荷は、フォトセンサ別のアンプにより電圧信号に変換され、タイミングジェネレータ（ＴＧ）２８から入力されるタイミング信号によってアナログの画像信号として出力される。
【００５６】
具体的には、ＣＭＯＳセンサ２６は、ＴＧ２８から垂直走査回路を介して加えられる垂直走査信号により、読み出しラインが順次選択される。選択された１ライン分の信号は、ＣＤＳ回路に読み出され、ここでＴＧ２８から入力されるタイミング信号に基づいて保持されノイズ除去が行われる。ＣＤＳ回路に保持された１ライン分の信号は、水平走査回路を介して加えられる水平走査信号により順次出力ラインに読み出される。
【００５７】
垂直走査回路により選択されたラインは、信号転送後に順次リセット信号が加えられてフォトセンサの電荷がリセットされ、その後に再度電荷の蓄積を開始する。
【００５８】
ＣＭＯＳセンサ２６の先頭のラインから最終のラインまで垂直走査回路により走査すると、再び先頭のラインに戻り、これにより１フレーム周期としたローリングシャッタが構成されている。また、各ラインの読出しタイミングとリセットタイミングとを適宜設定することにより、フォトセンサがリセットされてから読み出されるまでの時間（シャッタスピード）を設定することができる。
【００５９】
ＡＧＣ（Automatic Gain Control）回路３０は、ＣＭＯＳセンサ２６から出力された画像信号に対して、ＣＰＵ１０によって設定される撮像感度に応じたゲインで画像信号を増幅してＡ／Ｄ変換器３２に出力する。
【００６０】
Ａ／Ｄ変換器３２は、ＡＧＣ回路３０から出力されたアナログ信号を、例えば１２ビットのデジタル信号に変換して出力する。Ａ／Ｄ変換器３２から出力されたデジタル信号は画像信号処理回路３４に送られる。
【００６１】
画像信号処理回路３４は、同時化回路（単板ＣＭＯＳセンサのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００６２】
圧縮伸張処理回路３６は、ＣＰＵ１０からの指令に従い、入力された画像データに所定形式の圧縮処理を施し、圧縮画像データを生成する。また、ＣＰＵ１０からの指令に従い、入力された圧縮画像データに所定形式の伸張処理を施し、非圧縮の画像データを生成する。
【００６３】
ＬＣＤドライバ３８は、画像信号処理回路３４で生成され、ＶＲＡＭ１８に保持された画像信号に対し所定の信号処理を施し、画像表示用の信号を生成し、これを一定のタイミングでＬＣＤ４０に出力する。
【００６４】
ＬＣＤ４０は、カラー表示が可能な液晶ディスプレイで構成されており、再生モード時に撮影済み画像を表示するための画像表示器として利用されるとともに、各種設定操作を行なう際のユーザインターフェースとして利用される。また、撮影モード時には、スルー画像が表示されて、画角確認用の電子ファインダとして利用される。
【００６５】
ＡＥ／ＷＢ検出回路４２は、ＡＥ制御に必要な物理量として、１画面を複数のエリア（たとえば１６×１６）に分割し、分割したエリア（以下、測光分割エリアという）ごとにＲ、Ｇ、Ｂの画像信号の積算値を算出する。算出された値は画像信号処理回路３４に出力され、画像信号処理回路３４内のホワイトバランス補正回路で用いられる。
【００６６】
メディアコントローラ４６は、メディアスロットに装填されたフラッシュメモリ等の不揮発性のメモリカード４４に対してデータの読み／書きを制御する。
【００６７】
以上のように構成されたデジタルカメラ１の作用について説明する。
【００６８】
［第１実施形態（露光ムラの警告）］
図２は本発明に係る撮像制御方法の第１実施形態を示すフローチャートである。
【００６９】
シャッタレリーズボタンが全押しされ、ＣＰＵ１０に対して記録用の撮像が指示されると、絞り装置２２ｂ及び電子シャッタが制御され、本撮像用の露光制御が行われるとともに、ＣＭＯＳセンサ２６から画像信号のローリング読み出しが行われる（ステップＳ１０）。
【００７０】
続いて、記録用の１フレーム分の画像信号のローリング読み出しが終了すると、その１フレームの画像中のライン状輝度変化の検出を行う（ステップＳ１２）。
【００７１】
図３（Ａ）〜（Ｃ）は、それぞれ本撮像の露光中に他者のカメラのフラッシュ光が入射し、面内露光ムラが発生する状態を示している。
【００７２】
ローリングシャッタ方式の場合、１ラインずつ露光開始時間がずれており、露光中に他者のカメラのフラッシュ光が入射すると、そのフラッシュ光の入射タイミングに応じて、画像の前半部、後半部、又は中央部が高輝度領域となる露光ムラが発生する（図３（Ａ）〜（Ｃ））。
【００７３】
尚、図３（Ｃ）に示す露光ムラは、最初のラインの読み出し開始から最後のラインの読み出し開始までの時間よりも１ラインの露光時間が長い場合には発生しない。
【００７４】
＜ライン状輝度変化の検出方法の第１実施例＞
図４はライン状輝度変化の検出方法の第１実施例を示すフローチャートである。
【００７５】
いま、ＣＭＯＳセンサ２６の全ライン数をｎとし、まず、ラインの位置を示す変数ｉを１にセットする（ステップＳ１００）。
【００７６】
続いて、ラインｉ，ｉ＋１の平均輝度値Ｅｉ，Ｅｉ＋１を取得する（ステップＳ１０２）。平均輝度値は、ＣＭＯＳセンサ２６からライン毎にローリング読み出した１ライン分の画像信号を積算平均することにより取得することができる。
【００７７】
次に、前後のラインの平均輝度値Ｅｉ，Ｅｉ＋１の差を求め、この差（Ｅｉ＋１−Ｅｉ）が上限の閾値Th1よりも大きい場合（Ｅｉ＋１−Ｅｉ＞Th1）、又は下限の閾値Th1よりも小さい場合（Ｅｉ＋１−Ｅｉ＜Th2）には、そのラインｉの位置（ライン番号）を記憶する（ステップＳ１０４〜ステップＳ１１０）。
【００７８】
いま、図３（Ａ）、（Ｂ）に示したように１フレームの露光期間中の前半部、又は前半部にフラッシュ光が入射すると、ローリング読み出しした各ラインの輝度平値は、図５（Ａ）、（Ｂ）に示すようにライン位置に応じて変化し、図６（Ａ）、（Ｂ）に示すようにフラッシュ光が入射したラインと入射していないラインの境界（ライン間）は、大きな輝度差が生じる。
【００７９】
したがって、上記のように上限の閾値Th1、又は下限の閾値Th2を越える輝度差を検出することにより、他者のカメラのフラッシュによる露光ムラが発生したと判断する。尚、ステップＳ１０８でラインｉの位置が記憶される場合には、そのライン位置から後半部にフラッシュ光が受光したと判断し（図５（Ｂ）、図６（Ｂ）参照）、ステップＳ１１０でラインｉの位置が記憶される場合には、そのライン位置より前半部にフラッシュ光が受光したと判断する（図５（Ａ）、図６（Ａ）参照）。
【００８０】
続いて、変数ｉを１だけインクリメントし（ステップＳ１１２）、ｉ＝ｎ（ｎ：最後のラインの位置）か否かを判別する（ステップＳ１１４）。ｉ＜ｎの場合（「Ｎｏ」の場合）には、ステップＳ１０２に戻り、ｉ＝ｎの場合（「Ｙｅｓ」の場合）には、終了する。
【００８１】
図２に戻って、ライン状輝度変化の検出処理が終了すると、ライン状の輝度変化が発生したか否か（即ち、ライン間の平均輝度が大きく変化したライン位置が記憶されているか否か）を判別し（ステップＳ１４）、ライン状の輝度変化が発生したと判別されると、露光ムラの警告を発する（ステップＳ１６）。
【００８２】
この露光ムラの警告は、例えば、図７に示すようにデジタルカメラ１の背面のＬＣＤ４０に撮影した画像を表示するとともに、そのＬＣＤ４０の画面に「露光ムラ発生！」等のメッセージを表示する。また、ライン間の平均輝度が大きく変化したライン位置を示すマーカＭ（この実施の形態では、破線）を表示する。
【００８３】
撮影者は、上記露光ムラの警告が発せられると、実際に露光ムラが発生しているか否かをＬＣＤ４０の画面上で確認し、露光ムラの検出が誤検出の場合又は露光ムラが許容できる場合には記録指示を行い、露光ムラが許容できない場合には画像の記録処理をキャンセルするキャンセル指示を行う（ステップＳ１８）。記録指示は、操作部１２のメニュー／ＯＫキーを押すことにより行うことができ、キャンセル指示は、操作部１２のＢＡＣＫキーを押すことにより行うことができる。これらのキー操作方法は、ＬＣＤ４０の画面に表示される。
【００８４】
ステップＳ１４において、ライン状の輝度変化が発生していないと判別された場合、及びステップＳ１８で記録指示が行われた場合には、ＲＡＭ１４に一時的に保持されている撮像した画像の圧縮処理、メモリカード４４への記録等の記録処理が行われる（ステップＳ２０）。
【００８５】
上記露光ムラの警告により撮影者は撮り直すことができ、これにより露光ムラのない画像又は露光ムラが許容できる画像のみを記録することができる。
【００８６】
尚、この実施の形態では、露光ムラが警告されたときに、画像の記録／キャンセルを撮影者が選択できるようになっているが、これに限らず、無条件に記録してもよい。
【００８７】
＜ライン状輝度変化の検出方法の第２実施例＞
図８はライン状輝度変化の検出方法の第２実施例を示すフローチャートである。
【００８８】
いま、ＣＭＯＳセンサ２６の全ライン数をｎとし、まず、ラインの位置を示す変数ｉを１にセットする（ステップＳ１２０）。
【００８９】
この検出方法を適用する場合には、記録対象の１フレームの画像の隣接するフレーム（前後のフレーム）の画像も同時に取得し、３枚の画像をＲＡＭ１４に記憶させておく。
【００９０】
即ち、シャッタレリーズスイッチが半押しされると、ローリングシャッタによる露光及び読出しを行い、ＲＡＭ１４に保持される画像を最新のフレームの画像で更新する。そして、シャッタレリーズスイッチが全押しされると、前記フレーム画像の更新を行わずに、シャッタレリーズ直後に取り込んだ記録対象の１フレームの画像と、次のフレームの画像とをＲＡＭ１４に保存し、これにより３枚の画像をＲＡＭ１４に一時保存する。
【００９１】
図９及び図１０はシャッタレリーズスイッチの全押し時に保存される３枚の画像の露光及び読み出しタイミングを示している。
【００９２】
図９及び図１０上で、時刻ｔ１は、シャッタレリーズスイッチの全押し直後のローリングシャッタの内部同期信号のタイミングを示しており、時刻ｔ０、ｔ２は、時刻ｔ１の前後のフレームのタイミングを示している。
【００９３】
図８に戻って、これらの３枚の時系列順の画像をＡ、Ｂ、Ｃとすると、画像Ａ、Ｂ、Ｃの同一のラインｉの輝度平均値ＥＡｉ、ＥＢｉ、ＥＣｉをそれぞれ取得する（ステップＳ１２２）。
【００９４】
続いて、輝度平均値ＥＡｉ、ＥＢｉ、ＥＣｉを比較し、ＥＡｉ＜ＥＢｉ、又はＥＢｉ＞ＥＣｉの条件を満たすラインｉを検出する（ステップＳ１２４）。
【００９５】
即ち、図９に示すように記録対象の画像の露光期間前半にフラッシュ光が入射すると、時刻ｔ１からフラッシュ光の入射タイミングまでに露光を開始したラインの平均輝度値は、その前後のフレームの同一ラインの平均輝度値よりも大きくなる。
【００９６】
一方、図１０に示すように記録対象の画像の露光期間後半にフラッシュ光が入射すると、フラッシュ光の入射タイミングのラインから最後のラインの平均輝度値は、その前後のフレームの同一ラインの平均輝度値よりも大きくなる。
【００９７】
上記のようにして３つの同一ラインの平均輝度値を比較することにより、画像Ｂ上のラインのうち隣接するフレームの画像よりも平均輝度の大きいラインを、フラッシュ光が入射したラインと判別し、そのラインｉの位置（ライン番号）を記憶する（ステップＳ１２６）。
【００９８】
続いて、変数ｉを１だけインクリメントし（ステップＳ１２８）、ｉ＝ｎ（ｎ：最後のラインの位置）か否かを判別する（ステップＳ１３０）。ｉ＜ｎの場合（「Ｎｏ」の場合）には、ステップＳ１２２に戻る。
【００９９】
ｉ＝ｎの場合（「Ｙｅｓ」の場合）には、ステップＳ１２６に記憶された情報に基づいて露光ムラの有無の判定、及び露光ムラが有ると判定され場合の高輝度領域の判別が行われる（ステップＳ１３２）。
【０１００】
例えば、ステップＳ１２６において、ライン位置が記憶されている場合には、露光ムラが有ると判定し、また、ライン位置が連続して記憶されている場合には、その連続しているライン位置の範囲が、高輝度領域と判別することができる。
【０１０１】
尚、ステップＳ１２４では、同一のラインｉの輝度平均値ＥＡｉ、ＥＢｉ、ＥＣｉの大小を比較しているが、一定の閾値以上大きいか否かを判定するようにしてもよい。また、ステップＳ１２６で記憶されたライン番号が連続していない場合や、連続していても数ラインの場合には、露光ムラと判定しないようにしてもよい。
【０１０２】
［第２実施形態（露光ムラの補正）］
図１１は本発明に係る撮像制御方法の第２実施形態を示すフローチャートである。尚、図２に示した第１実施形態と共通する部分には同一のステップ番号を付し、その詳細なせ説明は省略する。
【０１０３】
この第２実施形態では、図９及び図１０を用いて説明したようにシャッタレリーズスイッチの全押し時に同期して、記録対象の画像Ｂと、その前後のフレームの画像Ａ、Ｃの少なくとも一方の画像を取得し、ＲＡＭ１４に一時保持する。
【０１０４】
ステップＳ１４において、ライン状の輝度変化が発生したと判別されると、ステップＳ３０に遷移する。
【０１０５】
ステップＳ３０では、画像Ｂ中の高輝度領域の情報と、隣接するフレームの画像（この実施の形態では、直後のフレームの画像Ｃ）の同一領域の情報とを置き換える画像処理を行う。
【０１０６】
例えば、図９に示すように記録対象の画像Ｂの露光期間前半にフラッシュ光が入射すると、前半部の領域が高輝度領域Ｂ１となるが、この高輝度領域Ｂ１の情報と、直後のフレームの画像Ｃの同一領域Ｃ１の情報とを置き換える画像処理を行う。
【０１０７】
同様に、図１０に示すように記録対象の画像Ｂの露光期間後半にフラッシュ光が入射すると、後半部の領域が高輝度領域Ｂ２となるが、この高輝度領域Ｂ２の情報と、直後のフレームの画像Ｃの同一領域Ｃ２の情報とを置き換える画像処理を行う。
【０１０８】
このようにライン状の輝度変化が発生したと判別されると、記録対象の画像中の高輝度領域の情報が直後のフレームの画像の同一領域の情報に置換（補正）され、その補正後の画像が記録処理される（ステップＳ２０）。
【０１０９】
尚、直後のフレームの画像Ｃの代わりに、直前のフレームの画像Ａを使用して上記と同様の補正を行うようにしてもよい。
【０１１０】
また、記録対象の画像Ｂと、その前後のフレームの画像Ａ、Ｃの３枚の画像Ａ、Ｂ、Ｃを使用し、補正に使用する画像として、直前のフレームの画像Ａと直後のフレームの画像Ｃとを適宜選択するようにしてもよい。
【０１１１】
選択方法の第１の例としては、図９に示すように記録対象の画像Ｂの露光期間前半にフラッシュ光が入射する場合（画像Ｂの前半部の領域が高輝度領域Ｂ１となる場合）は、直後のフレームの画像Ｃを選択し、図１０に示すように記録対象の画像Ｂの露光期間後半にフラッシュ光が入射する場合（画像Ｂの後半部の領域が高輝度領域Ｂ２となる場合）は、直前のフレームの画像Ａを選択する。
【０１１２】
これによれば、選択されたフレームの画像は、いずれの領域にもフラッシュ光が入ってないものとなり、例えば、フラッシュ光の発光時間が長い場合にも対応できる。
【０１１３】
また、選択方法の第２の例としては、図９に示すように記録対象の画像Ｂの露光期間前半にフラッシュ光が入射する場合（画像Ｂの前半部の領域が高輝度領域Ｂ１となる場合）は、直後、直後のフレームの画像Ａ、Ｃの対応する領域Ａ１、Ｃ１の平均輝度を比較し、平均輝度が低い方の画像を選択する。また、図１０に示すように記録対象の画像Ｂの露光期間後半にフラッシュ光が入射する場合（画像Ｂの後半部の領域が高輝度領域Ｂ２となる場合）は、直後、直後のフレームの画像Ａ、Ｃの対応する領域Ａ２、Ｃ２の平均輝度を比較し、平均輝度が低い方の画像を選択する。
【０１１４】
更に、直後、直後のフレームの画像Ａ、Ｃの両者を使用して、それぞれ２つの補正画像を作成し、これをＬＣＤ４０に並べて表示し又は切り替えて表示し、撮影者にいずれか一方を選択させるようにしてもよい。
【０１１５】
更にまた、移動する被写体を撮像する場合には、ローリング歪みが発生するが、ローリング歪みの影響が少ない方の画像を選択するようにしてもよい。
【０１１６】
［第３実施形態（露光ムラの補正）］
図１２は本発明に係る撮像制御方法の第３実施形態を示すフローチャートである。尚、図２に示した第２実施形態と共通する部分には同一のステップ番号を付し、その詳細な説明は省略する。
【０１１７】
この第３実施形態は、第２の実施形態のステップＳ３０の処理の代わりに、ステップＳ４０及びステップＳ４２の処理を行う点で第２実施形態と相違する。
【０１１８】
ステップＳ４０では、記録対象の画像中の高輝度領域と、直後のフレームの画像の同一領域とから、それぞれ同一ラインの平均輝度値を算出する。
【０１１９】
ステップＳ４２では、記録対象の画像の高輝度領域に対応するラインの輝度値を、そのラインの輝度値の平均輝度値が直後のフレームの画像の対応するラインの平均輝度値と一致するように補正する。この補正を高輝度領域のライン毎に行う。
【０１２０】
このようにライン状の輝度変化が発生したと判別されると、記録対象の画像中の高輝度領域の情報が直後のフレームの画像の同一領域の情報の輝度値と一致するように補正され、その補正後の画像が記録処理される（ステップＳ２０）。
【０１２１】
尚、補正に使用する画像として、直前及び直後のフレームの画像のうちのいずれの画像を選択するかについては、第２実施形態と同様に行うことができる。
【０１２２】
［第４実施形態（露光ムラの警告及び補正）］
図１３は本発明に係る撮像制御方法の第４実施形態を示すフローチャートである。尚、図２、図１１に示した第１実施形態、第２実施形態と共通する部分には同一のステップ番号を付し、その詳細な説明は省略する。
【０１２３】
この第４実施形態は、第１の実施形態と第２実施形態とを組み合わせたものであり、ステップＳ１４において、ライン状の輝度変化が発生したと判別されると、ステップＳ１６に遷移し、ここで、第１実施形態と同様に露光ムラの警告を発する。
【０１２４】
そして、記録対象の画像をＬＣＤ４０に表示させ、露光ムラの補正の要否を撮影者に判断させる（ステップＳ５０）。撮影者により露光ムラの補正指示が入力されると、第２実施形態と同様にして記録対象の画像Ｂ中の高輝度領域の情報を、隣接するフレームの画像の同一領域の情報とを置き換える画像処理を行う（ステップＳ３０）。
【０１２５】
一方、撮影者により露光ムラを補正しない旨の指示入力があると、ステップＳ２０に遷移し、補正処理が行われない画像が記録される。
【０１２６】
これによれば、露光ムラが誤って検出された場合に、誤った補正がされた画像が作成記録されないようにすることができる。
【０１２７】
尚、ステップＳ３０の補正処理の代わりに、図１２に示した第３実施形態のステップＳ４０、Ｓ４２による補正処理を行うようにしてもよい。
【０１２８】
［その他］
他者のカメラのフラッシュ発光に起因する露光ムラの検出方法（ライン状輝度変化の検出方法）としては、図４に示した第１実施例、図８に示した第２実施例に限らず、例えば両者を併用し、両者で同時に検出された場合に露光ムラが発生したと判断してもよいし、いずれか一方で検出された場合に、露光ムラが発生したと判断してもよい。
【０１２９】
また、露光ムラの警告は、ＬＣＤ４０による警告表示に限らず、音声による警告や音声と文字とを併用した警告でもよい。
【０１３０】
更に、本発明は自らフラッシュ発光して撮像する場合にも適用できる。この場合には、全てのラインの露光期間中に均等にフラッシュ光が入射するように１フレームの露光期間とフラッシュの発光タイミングを制御する必要がある。また、自らフラッシュ発光させた撮像時の他者のフラッシュ光による露光ムラの検出は、図４に示した方法により行うことができる。
【０１３１】
本発明は上述した実施形態に限定されず、本発明の精神を逸脱しない範囲で種々の変形が可能であることは言うまでもない。
【符号の説明】
【０１３２】
１…撮像装置（デジタルカメラ）、１０…ＣＰＵ、１２…操作部、１４…ＲＡＭ、１６…ＲＯＭ、２０…フラッシュ発光部、２２…レンズユニット、２６…ＣＭＯＳセンサ、２８…タイミングジェネレータ（ＴＧ）、３２…Ａ／Ｄ変換器、３４…画像信号処理回路、３６…圧縮伸張処理回路、４０…液晶ディスプレイ（ＬＣＤ）、４４…メモリカード
【図１】
2010213220.tif 000003
【図２】
2010213220.tif 000004
【図３】
2010213220.tif 000005
【図４】
2010213220.tif 000006
【図５】
2010213220.tif 000007
【図６】
2010213220.tif 000008
【図７】
2010213220.tif 000009
【図８】
2010213220.tif 000010
【図９】
2010213220.tif 000011
【図１０】
2010213220.tif 000012
【図１１】
2010213220.tif 000013
【図１２】
2010213220.tif 000014
【図１３】
2010213220.tif 000015